(57)【要約】【課題】圧力損失を増加することなく必要な強度を保持しつつも美観に優れるノズル部材を備えた浴槽用給湯アダプタを提供する。【解決手段】本発明の浴槽用給湯アダプタ１は、浴槽壁部に貫通状態で組み付けられる槽内突出部を介して浴槽内に設置され、浴槽内の湯水を吸引して浴槽外に供給するようにしたノズル部材を有し、ノズル部材は、後壁と両側壁とを有し、後壁と両側壁とによって画定される領域が、開口端を有する略筒状の流路形成部材によって流路領域と補強領域とに区画されるノズル本体と、ノズル本体を後壁とは逆側から覆うカバー部材とからなり、補強領域において後壁から補強リブが立設されてなることを特徴とする。【選択図】図６Ａ
2020173043.tif 000002
【特許請求の範囲】
【請求項１】
浴槽壁部に貫通状態で組み付けられる槽内突出部を介して浴槽内に設置され、浴槽内の湯水を吸引して浴槽外に供給するようにしたノズル部材を有し、
前記ノズル部材は、
後壁と両側壁とを有し、当該後壁と当該両側壁とによって画定される領域が、開口端を有する略筒状の流路形成部材によって流路領域と補強領域とに区画されるノズル本体と、
前記ノズル本体を前記後壁とは逆側から覆うカバー部材とからなり、
前記補強領域において前記後壁から補強リブが立設されてなることを特徴とする、
浴槽用給湯アダプタ
【請求項２】
前記補強リブは、複数並んで立設される縦リブ、及び、当該縦リブから相反する方向に向けて突出する二つの部材によって形成され下方に向けて開放される傘状部材とからなる、請求項１に記載の浴槽用給湯アダプタ。
【請求項３】
前記傘状部材は上下方向に複数配設され、上方に位置する傘状部材は、下方に位置する傘状部材よりも大きく形成される、請求項２に記載の浴槽用給湯アダプタ。
【請求項４】
前記流路形成部材上に補強リブが形成される、請求項１〜３のいずれかに記載の浴槽用給湯アダプタ
【発明の詳細な説明】
【技術分野】
【０００１】
本発明は、浴槽用給湯アダプタに関し、特に、浴槽水を浴槽から吸引し、給湯機で再加熱して浴槽に戻す追い焚きや、洗濯機の洗濯水として再利用するに好適な浴槽用給湯アダプタに関する。
【背景技術】
【０００２】
近年、資源の節約志向に伴い、入浴中の浴槽水の一部を吸引ポンプによって吸引して給湯機で再加熱したのち浴槽水に戻すことや、入浴後の浴槽水を捨てずに再利用することが行われている。
【０００３】
浴槽水を吸引するにあたっては、浴槽壁に取り付けられた浴槽用給湯アダプタを利用し、浴槽内に設けられたノズル部材から浴槽水を吸引し、浴槽外の適所に供給することが行われている。
【０００４】
これまで、浴槽用給湯アダプタに使用されるノズル部材としては、円筒状に形成されたノズル部材を使用することが一般的であったが、より美観に優れたノズル部材として、円筒状ではなく、水平断面が矩形状に形成された略ボックス状のノズル部材を使用することが提案されている。（特許文献１）。
【先行技術文献】
【特許文献】
【０００５】
【特許文献１】特開平１０−１５５３６号公報
【発明の概要】
【発明が解決しようとする課題】
【０００６】
略ボックス状に形成されたノズル部材の内部を流路として使用する場合、給湯機等に設置される吸引ポンプからの負圧がノズル部材に印加され、特に中央近傍の壁が圧力に耐えきれず変形や破損が生じる恐れがある。
【０００７】
ノズル部材が破損すると、浴槽との間で漏れが発生するため、吸引や吐出の流量制御が正確に行われなくなるとともに、破損したノズル部材の一部が浴槽水に混入し危険を伴うという問題がある。
【０００８】
ここで、流路として形成されるノズル部材の前壁と後壁との間を補強リブで接続することによりノズル部材の補強を行うことが考えられるが、補強リブを樹脂で形成されたノズル部材の前壁に一体化して立設すると、ノズル部材の前壁表面に補強リブの設置面が透けて見えてしまい、美観を損ねるという課題があった。
【０００９】
また、流路として使用されるノズル部内に補強リブを立設すると、浴槽水の圧力損失が増加するため、大型の吸引ポンプが必要となるという課題があった。
【００１０】
本発明はこのような課題に鑑みて、圧力損失を増加することなく必要な強度を保持しつつも美観に優れるノズル部材を備えた浴槽用給湯アダプタを提供することを目的とする。
【課題を解決するための手段】
【００１１】
本発明では、以下のような解決手段を提供する。
【００１２】
第１の特徴に係る発明は、浴槽壁部に貫通状態で組み付けられる槽内突出部を介して浴槽内に設置され、浴槽内の湯水を吸引して浴槽外に供給するようにしたノズル部材を有し、ノズル部材は、後壁と両側壁とを有し、後壁と両側壁とによって画定される領域が、開口端を有する略筒状の流路形成部材によって流路領域と補強領域とに区画されるノズル本体と、ノズル本体を後壁とは逆側から覆うカバー部材とからなり、補強領域において後壁から補強リブが立設されてなることを特徴とする、浴槽用給湯アダプタを提供する。
【００１３】
第１の特徴に係る発明によれば、ノズル部材が、後壁と両側壁とを有し、後壁と両側壁とによって画定される領域が、開口端を有する略筒状の流路形成部材によって流路領域と補強領域とに区画されるノズル本体を有するため、流路領域とは別に区画された補強領域でノズル部材の補強を行うことができ、浴槽水の圧力損失を増加することなく、ノズル部材の強度を保持することができる。
【００１４】
また、ノズル本体を後壁とは逆側から覆うカバー部材を備えているため、補強リブと別部材のカバー部材によってノズル本体を覆うことができ、補強リブを設ける際の筋が表面に視認されることがなく、美観に優れた浴槽用給湯アダプタを提供することが可能となる。
【００１５】
第２の特徴に係る発明は、第１の特徴に係る発明であって、補強リブは、複数並んで立設される縦リブ、及び、縦リブから相反する方向に向けて突出する二つの部材によって形成され下方に向けて開放される傘状部材とからなる、浴槽用給湯アダプタを提供する。
【００１６】
第２の特徴に係る発明によれば、補強リブが、複数並んで立設される縦リブ、及び、縦リブから相反する方向に向けて突出する二つの部材によって形成され下方に向けて開放される傘状部材とからなるため、縦方向だけでなく、横方向の強度も確保することができる。
【００１７】
また、傘状部材は下方に向けて開放されるため、ノズル本体内に入り込む浴槽水が滞留せず、重力方向に流れやすい構造となっている。そのため、浴槽水がノズル本体内で長期間にわたって残留して腐食を誘発することを防止することができる。
【００１８】
第３の特徴に係る発明は、第２の特徴に係る発明であって、傘状部材は上下方向に複数配設され、上方に位置する傘状部材は、下方に位置する傘状部材よりも大きく形成される、浴槽用給湯アダプタを提供する。
【００１９】
第３の特徴に係る発明によれば、上方に位置する傘状部材の方が、下方に位置する傘状部材よりも大きく形成されるため、ノズル本体内に入り込んだ浴槽水がノズル本体の下部で滞留することを抑制することができ、いっそう、ノズル本体外に排出されやすい。
【００２０】
第４の特徴に係る発明は、第１ないしは第３のいずれかの特徴に係る発明であって、流路形成部材上に補強リブが形成される、浴槽用給湯アダプタを提供する。
【００２１】
第４の特徴に係る発明によれば、流路形成部材上に補強リブを設けることにより、流路そのものや、流路の近傍における強度を確実に保持することができ、強力な吸い込み圧力が印加されたとしても、変形や破損の生じないノズル本体を提供することができる。
【発明の効果】
【００２２】
本発明によれば、圧力損失を増加することなく必要な強度を保持しつつも美観に優れるノズル部材を備えた浴槽用給湯アダプタを提供できる。
【図面の簡単な説明】
【００２３】
【図１】図１は、本実施形態に係る浴槽用給湯アダプタ１の斜視図である。
【図２】図２は、本実施形態に係る浴槽用給湯アダプタ１の側面図である。
【図３】図３は、本実施形態に係る浴槽用給湯アダプタ１の側面断面図である。
【図４】図４は、本実施形態に係る浴槽用給湯アダプタ１を斜め後方から見た図である。
【図５Ａ】図５Ａは、本実施形態に係る流路仕切部材４０の斜視図である。
【図５Ｂ】図５Ｂは、本実施形態に係る流路仕切部材４０の正面図である。
【図５Ｃ】図５Ｃは、図５ＢのＡ−Ａ断面図である。
【図６Ａ】図６Ａは、本実施形態に係る第一ノズル部材６０の分解斜視図である。
【図６Ｂ】図６Ｂは、本実施形態に係る第一ノズル部材６０を分解して斜め後方から見た図。
【図６Ｃ】図６Ｃは、本実施形態に係る第一ノズル部材６０を構成する第一ノズル本体６０ｂの正面図である。
【図６Ｄ】図６Ｄは、本実施形態に係る第一ノズル部材６０を構成する第一ノズル本体６０ｂの底面図である。
【図７Ａ】図７Ａは、本実施形態に係る第二ノズル部材７０の分解斜視図である。
【図７Ｂ】図７Ｂは、本実施形態に係る第二ノズル部材７０を分解して斜め後方から見た図である。
【図７Ｃ】図７Ｃは、本実施形態に係る第二ノズル部材７０を構成する第二ノズル本体７０ｂの正面図。
【図７Ｄ】図７Ｄは、本実施形態に係る第二ノズル部材７０を構成する第二ノズル本体７０ｂの底面図である。
【図８Ａ】図８Ａは、本実施形態に係るフィルタ部材８０の分解斜視図である。
【図８Ｂ】図８Ｂは、本実施形態に係るフィルタ部材８０の斜視図である。
【図８Ｃ】図８Ｃは、本実施形態に係るフィルタ部材８０の背面図である。
【図８Ｄ】図８Ｄは、本実施形態に係るフィルタ部材８０の平面図である。
【図８Ｅ】図８Ｅは、本実施形態に係るフィルタ部材８０において、第一フィルタケース１１０に第二フィルタケース１２０を組み込んでいる状況を示す斜め下方から見た図である。
【図８Ｆ】図８Ｆは、本実施形態に係るフィルタ部材８０を構成する第二フィルタケース１２０を斜め下方から見た図である。
【発明を実施するための形態】
【００２４】
以下、本発明を実施するための形態について図を参照しながら説明する。なお、これはあくまでも一例であって、本発明の技術的範囲はこれに限られるものではない。
【００２５】
［浴槽用給湯アダプタ１の全体構成］
まず、図１〜図４を用いて、本実施形態に係る浴槽用給湯アダプタ１の全体構成を説明する。図１は、本実施形態に係る浴槽用給湯アダプタ１の斜視図を、図２は浴槽用給湯アダプタ１の側面図を、図３は浴槽用給湯アダプタ１の側面断面図を、図４は浴槽用給湯アダプタ１を斜め後方から見た図を示す。
【００２６】
これらの図に示すように、本実施形態の浴槽用給湯アダプタは、浴槽の側壁（壁部）Ｗに貫通状態に取り付けられるアダプタ本体Ｐと、アダプタ本体Ｐに取り付けられるノズル部材５０とによって構成される。なお、本明細書の説明においては、浴槽用給湯アダプタの軸心方向に沿って浴槽に対して内側（図２および図３の左側）を「前側」または「正面側」とし、浴槽に対して外側（図２および図３の右側）を「後側」「裏面側」または「背面側」として説明する。
【００２７】
アダプタ本体Ｐは、槽外取付部材１０と、管路部材２０と、雄ねじ部材３０と、流路仕切部材４０とを備えている。
【００２８】
〔槽外取付部材１０〕
槽外取付部材１０は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状の外フランジ部１３とを備えている。外筒部１２の後端部における上下両側には槽内流入口１０ａおよび槽外流出口１０ｂが設けられており、流槽内入口１０ａが内筒部１１の内部に連通接続されるとともに、槽外流出口１０ｂが内筒部１１および外筒部１２間の環状部に連通接続されている。内筒部１１の内部は、後述する内側流路１０Ａの一部を構成するものであり、内筒部１１および外筒部１２間の環状空間は、後述する外側流路１０Ｂの一部を構成するものである。
【００２９】
なお外筒部１２の内周面には雄ねじ部材３０をねじ込んで固定するための雌ねじが刻設されている。
【００３０】
〔管路部材２０〕
管路部材２０には、その後部に往き管接続口２０ａおよび戻り管接続口２０ｂが設けられている。さらに管路部材２０には、一端側が槽外取付部材１０の槽内流入口１０ａに連通接続され、かつ他端側が往き管接続口２０ａに連通接続された往き管路２１ａが設けられるとともに、一端側が槽外取付部材１０の槽外流出口１０ｂに連通接続され、かつ他端側が戻り管接続口２０ｂに連通接続された戻り管路２１ｂが設けられている。
【００３１】
さらに管路部材２０における戻り管路２１ｂには分岐管路２１ｃが設けられるとともに、その分岐管路２１ｃには残り湯取出口２０ｃが設けられている。
【００３２】
また管路部材２０における往き管路２１ａと戻り管路２１ｂとの間には逆止弁２２ａが設けられている。この逆止弁２２ａは、戻り管路２１ｂ側から往き管路２１ａ側に流動する湯水の流れは許容し、かつその逆方向の流れを制止するように構成されている。
【００３３】
さらに管路部材２０における戻り管路２１ｂには、分岐管路２１ｃよりも戻り管接続口２０ｂ側寄りの位置に逆止弁２２ｂが設けられている。この逆止弁２２ｂは、戻り管路２１ｂ内を槽外取付部材１０の槽外流出口１０ｂ側から戻り管接続口２１ｂ側に流動する湯水の流れは許容し、かつその逆方向の流れを制止するように構成されている。
【００３４】
また分岐管路２１ｃには逆止弁２２ｃが設けられている。この逆止弁２２ｃは、戻り管路２１ｂ側から残り湯取出口２０ｃ側に流動する湯水の流れは許容し、かつその逆方向の流れを制止するように構成されている。
【００３５】
〔雄ねじ部材３０〕
雄ねじ部材３０は、前後両端が開放された円筒体の前端外周に平板リング状の中フランジ部３１が一体に形成された鍔付き円筒形状に形成されている。中フランジ部３１の外周側面には、後述する流路仕切部材４０を接続するための側面視Ｌ字状の接続溝３２が形成される。
【００３６】
また、雄ねじ部材３０の外周側面には、上記槽外取付部材１０における外筒部１２の雌ねじに対応して雄ねじが刻設されている。
【００３７】
そして、槽外取付部材１０と雄ねじ部材３０とが分離された状態で、浴槽に穿設された取付孔に対し、管路部材２０付きの槽外取付部材１０の外フランジ部１３が浴槽の外壁側から取付孔の周縁部に沿うように配置され、雄ねじ部材３０の中フランジ部３１が、浴槽の内壁側から取付孔の周縁部に圧接されるように配置され、雄ねじ部材３０の外周側面に刻設された雄ねじを外筒部１２の雌ねじにねじ込むことにより、槽外取付部材１０と雄ねじ部３０が固定される。これにより両部材１０、３０の外フランジ部１３及び中フランジ部３１によって浴槽側壁Ｗにおける取付孔周縁部が挟持されて、管路部材２０付きの槽外取付部材１０と雄ねじ部材３０とが浴槽側壁Ｗに組み付けられる。
【００３８】
〔流路仕切部材４０〕
次に、図３及び図５を用いて、流路仕切部材４０について説明する。図５Ａは斜視図、図５Ｂは正面図、図５Ｃは図５ＢのＡ−Ａ断面図である。
【００３９】
流路仕切部材４０は、軸心方向（前後方向）に延びる前後両端が開放された細長い円筒形状の細円筒部４１と、前端が開放し底部が細円筒部４１に接続され、軸心方向（前後方向）に延びる有底円筒形状の太円筒部４２と、太円筒部４２の前端部外周に設けられた略円盤状の槽内突出部４３とを有している。太円筒部４２の径は細円筒部４１の径よりも大きく設定されている。
【００４０】
細円筒部４１は、後述するように槽外取付部材１０の内筒部１１に接続されるものであり、細円筒部４１の内部と、細円筒部４１に連通する槽外取付部材１０における内筒部１１の内部とによって、内側流路１０Ａが形成される。さらに細円筒部４１は、後述するように雄ねじ部材３０の内部に配置されるものであり、細円筒部４１および雄ねじ部材３０間の環状空間と、それに連通する槽外取付部材１０における内筒部１１および外筒部１２間の環状空間とによって、外側流路１０Ｂが形成される。
【００４１】
太円筒部４２は、後述するようにノズル部材５０の第一ノズル本体６０の後壁に形成される外側突出部６１に接続可能に構成されるとともに、円筒形状の部位における外径が雄ねじ部材３０の内径と略同一に設定され、雄ねじ部材３０の内部に挿入可能に構成される。太円筒部４２の底面における中央部には、細円筒部４１の内部と連通する円形の吐出口４４が形成される。
【００４２】
また、吐出口４４の周囲には、円周方向に複数の細長孔が穿設されており、この複数の細長孔によって吸引口４５が構成される。
【００４３】
そして、吐出口４４と吸引口４５の間には、太円筒部４２の底面から前方に向けて、内側が細円筒部４１の内部と連通する円筒形状の前方突出部４６が形成される。前方突出部４６の内径は、後述するノズル部材５０の第一ノズル本体６０ｂの後壁に形成される内側突出部６２の外径と略同一に設定されており、内側突出部６２が前方突出部４６内に挿入されることにより、内側突出部６２の内部と細円筒部４１の内部とが連通するように構成されている。なお、前方突出部４６の前端は、後述する槽内突出部４３が形成される位置よりも後方に位置するように設定される。
【００４４】
槽内突出部４３は太円筒部４２の前端部外周に設けられる略円盤状の部材であり、槽内突出部４３の外側端部には、円盤状の面からそれぞれ前方及び後方に突出する前方フランジ部４７ｆ及び後方フランジ部４７ｂからなる円筒状の組付フランジ部４７が形成される。
【００４５】
組付フランジ部４７の後方フランジ部４７ｂの内径は、雄ねじ部材３０の中フランジ部３１の外径と略同一に設定されており、後方フランジ部４７ｂにおける内周側面には、雄ねじ部材３０の接続溝３２に係合する係合突起４８が設けられている。係合突起４８は後方フランジ部４７ｂの内周側面において適宜の間隔をおいて複数形成される。
【００４６】
また、槽内突出部４３の組付フランジ部４７における前方フランジ部４７ｆの外周側面には、後に詳述するノズル部材５０を固定するための固定溝４９が形成されている。固定溝４９は側面視Ｌ字状に形成されており、前方フランジ部４７ｆの外周側面において周方向に適宜の間隔をおいて複数形成される。この固定溝４９は、軸心方向に沿って前後方向に延び、かつ前端が前方に向けて開口する軸方向溝と、軸方向溝の後端に一端が連通し、かつ周方向に沿って延びる周方向溝とを備えている。
【００４７】
なお本実施形態において、浴槽用給湯アダプタ１およびアダプタ本体Ｐの軸心方向は前後方向に相当し、後述するノズル部材５０の軸心方向は上下方向（垂直方向）に相当する。
【００４８】
流路仕切部材４０をこのように構成することにより、図５Ｃに示すように、流路仕切部材４０における細円筒部４１が雄ねじ部材３０に前方から挿入されて槽外取付部材１０の内筒部１１に連通接続され、その状態で、流路仕切部材４０における後方フランジ部４７ｂの内周側面に形成された係合突起４８と、雄ねじ部材３０の中フランジ部３１の外周側面に形成された接続溝３２とによって、雄ねじ部材３０と流路仕切部材４０が着脱自在に取り付けられる。
【００４９】
こうして流路仕切部材４０を雄ねじ部材３０および槽外取付部材１０に組み付けた状態では、太円筒部４２における吸引口４５が外側流路１０Ｂ内に連通されるとともに、吐出口４４が内側流路１０Ａに連通される。
【００５０】
この構成のアダプタ本体Ｐにおいて、管路部材２０の往き管接続口２０ａは、図示しない室外給湯機の給湯口に往き管２５ａを介して連結され、戻り管接続口２０ｂは、室外給湯機の吸引口に戻り管２５ｂを介して連結されている。さらに残り湯取出口２０ｃには、洗濯機の吸引ポンプに残り湯取出管２５ｃを介して連結されている。
【００５１】
そして追い焚き時の戻り側回路においては、給湯機による吸引作用によって戻り管２５ｂ、戻り管路２１ｂ、外側流路１０Ｂおよび吸引口４５が負圧に設定される。その吸引力によって湯水が吸引口４５から外側流路１０Ｂに導入されて、槽外取付部材１０の槽外流出口１０ｂから管路部材２０の戻り管路２１ｂ内に導入されて、逆止弁２２ｂ、戻り管接続口２０ｂおよび戻り管２５ｂを介して給湯機に戻される。一方、往き側の回路においては、給湯機から供給される湯水が往き管２５ａを通って管路部材２０の往き管接続口２０ａから往き管路２１ａ内に導入され、さらにその湯水は槽外取付部材１０の槽内流入口１０ａから内側流路１０Ａに導入されて、太円筒部４２の吐出口４４から吐出される。
【００５２】
また浴槽内の残り湯を取り出す際には、洗濯機の吸引ポンプによって残り湯取出管２５ｃ内が負圧となりその吸引力によって、湯水が太円筒部４２の吸引口４５から外側流路１０Ｂに導入されて、槽外取付部材１０の槽外流出口１０ｂから管路部材２０の戻り流路２１ｂ内に導入された後、逆止弁２２ｃを通って分岐管２０ｃに導入される。さらにその湯水は残り湯取出管２５ｃを通って洗濯機に供給されて洗濯水として利用される。
【００５３】
なお本実施形態において、湯はり時にはダブル搬送によって湯水が供給される。すなわち給湯機から湯水が往き管２５ａおよび戻り管２５ｂの双方に供給され、往き管２５ａ側の湯水は管路部材２０の往き管接続口２０ａを介して往き管路２１ａ内に導入される。その一方、戻り管２５ｂ側の湯水は管路部材２０の戻り管接続口２０ｂから導入され、逆止弁２２ａを通って往き管路２１ａに導入されて、上記往き管２５ａからの湯水と合流する。こうして合流した湯水は往き管路２１ａを通って、槽外取付部材１０の槽内流入口１０ａから内側流路１０Ａに導入されて、太円筒部４２の吐出口４４から吐出される。
【００５４】
〔ノズル部材５０〕
次に、本実施形態におけるノズル部材５０について図６〜図７を用いて説明する。ノズル部材５０は、アダプタ本体Ｐの槽内突出部４３に接続される略ボックス型の部材であって、浴槽水を槽外に導出する機能及び給湯機からの温水を浴槽内に導入する機能を有する部材である。ノズル部材５０は、第一ノズル部材６０と、延長ノズルとしての機能を有する第二ノズル部材７０とからなる。ノズル部材５０の下方には、フィルタ部材８０が接続されている。
【００５５】
〔第一ノズル部材６０〕
図６を用いて、第一ノズル部材６０について説明する。図６Ａは第一ノズル部材６０の分解斜視図を、図６Ｂは第一ノズル部材６０を分解して斜め後方から見た図を、図６Ｃは第一ノズル部材６０を構成する第一ノズル本体６０ｂの正面図を、図６Ｄは同底面図を示す。
【００５６】
第一ノズル部材６０は、前方に向けて緩やかな湾曲状に形成された第一カバー部材６０ｃと、前方が第一カバー部材６０ｃに覆われ下端が開放される下向きの第一ノズル本体６０ｂとによって、水平断面が扁平矩形状の略ボックス型の形状を呈するよう構成される。
【００５７】
流路仕切部材４０が組付けられた際に組付フランジ部４７の前方フランジ部４７ｆと対面する第一ノズル本体６０ｂの後壁には、内部に流路が形成される略円筒形状で、流路仕切部材４０の前方突出部４６に挿入される内側突出部６２と、内側突出部６２の外側に同心円状に設けられ、内側突出部６２との間に環状の流路を形成するものであり、流路仕切部材４０の太円筒部４２に挿入される略円筒形状の外側突出部６１が形成される。また、第一ノズル本体６０ｂの下端には、下方に突出する水平断面略矩形枠状の部材である第一下端開口枠部６３が形成されている。
【００５８】
さらに、外側突出部６１の外側には、流路仕切部材４０の組付フランジ部４７が挿入可能となるよう後方に突出する略円筒形状の周側壁部６４が形成される。
【００５９】
周側壁部６４の内周面には、組付フランジ部４７の外周側面に形成された固定溝４９に係合される複数の固定突起６５が周方向に適宜の間隔をおいて形成される。前述の通り、固定溝４９は、軸心方向に沿って前後方向に延び、かつ前端が前方に向けて開口する軸方向溝と、軸方向溝の後端に一端が連通し、かつ周方向に沿って延びる周方向溝とによって側面視略Ｌ字状に形成されているため、軸方向溝の開口に固定突起６５の位置をあわせ、流路仕切部材４０に対して第一ノズル部材６０を押し込むことで、固定突起６５を軸方向溝の後端まで挿入することができる。その状態で第一ノズル部材６０を軸心周りに捻回操作することにより、固定突起６５を周方向溝に沿って移動させ、第一ノズル部材６０を流路仕切部材４０に対して固定する。
【００６０】
このように、第一ノズル部材６０に形成された固定突起６５が固定溝４９を構成する周方向溝に係合することで、前後方向の移動が規制され、第一ノズル部材６０を流路仕切部材４０に対して固定することができる。
【００６１】
また、周側壁部６４には、内側流路１０Ａから第一ノズル部材６０に流入する戻り湯を浴槽内に吐出するための吐出用開口６６が形成される。吐出用開口６６が形成される位置は、鉛直下方から所定の角度を有する位置に設定され、斜め下方に湯水が吐出されるように構成される。
【００６２】
内側突出部６２の内部に形成される流路と吐出用開口６６とは、内側突出部６２における第一ノズル本体６０の後壁側基端部から後壁に沿って、内側突出部６２と外側突出部６１との間に形成される環状の流路を貫通し、さらに、外側突出部６１と周側壁部６４との間に形成される環状空間を貫通するように斜め下方に延伸する吐出流路６７によって連通する。
【００６３】
なお、吐出流路６７は後壁に沿って、後壁から突出するように形成されるため、流路仕切部材４０の組付フランジ部４７の前方フランジ部４７ｆには、吐出流路６７との干渉を防ぐために、その一部を切り欠いた逃げ部４７ｅが形成されている。
【００６４】
さらに、内側突出部６２と外側突出部６１との間に形成される環状の流路と第一ノズル部材６０の下端に形成される第一下端開口枠部６３とは、第一ノズル部材６０の第一カバー部材６０ｃと後壁との間において上下方向に形成される第一吸い込み流路６８によって連通する。
【００６５】
第一吸い込み流路６８は、第一ノズル本体６０ｂ内部において水平断面略楕円形状を呈する第一流路形成部材６８ｃによって画定されており、第一ノズル本体６０ｂにおける後壁と両側壁とによって画定される領域は、第一流路形成部材６８ｃによって、内部の流路領域と外部の補強領域とに区画されている。
【００６６】
そして、第一流路形成部材６８ｃと第一ノズル本体６０ｂの両側壁との間の補強領域において、強度を確保するための複数の第一補強リブ６９が設けられている。なお、第一下端開口枠部６３は、第一吸い込み流路６８の下端開口部より下方に形成される。
【００６７】
このように、第一ノズル本体６０ｂ内を流路領域と補強領域とに区画し、補強領域において第一補強リブ６９で補強を行うため、流路内に圧力損失を誘因するリブを設置することなく、ノズル部材の補強を行うことができる。
【００６８】
また、第一吸い込み流路６８内には、後述するフィルタケース１００と第一ノズル本体６０ｂとをねじを用いて接続する際に使用するねじ穴６８ｂが設けられる。
【００６９】
以上のように構成されるため、第一ノズル部材６０が固定突起６５と固定溝４９の働きによって流路仕切部材４０に組付けられると、内側突出部６２は前方突出部４６に挿入され、外側突出部６１は太円筒部４２に挿入される。このとき、内側突出部６２の外径は前方突出部４６の内径と略同一に設定されており、外側突出部６１の外径は太円筒部４２の内径と略同一に設定されているため、それぞれが水密状態に連通する。
【００７０】
ここで、外側突出部６１及び内側突出部６２の先端近傍外周部には図示しない樹脂製のシール部材が取り付けられており、外側突出部６１と太円筒部４２、及び、内側突出部６２と前方突出部４６とは、それぞれ、嵌入する状態で接続され、他の流路に浴槽水が流出することなく高い水密状態を保持することができる。
【００７１】
そして、吐出用開口６６は、吐出流路６７、内側突出部６２の内部に形成される流路、吐出口４４、細円筒部４１の内部に形成される流路、及び、内筒部１１の内部に形成される流路を通じて、内側流路１０Ａに流通可能に連通する。
【００７２】
また、第一下端開口枠部６３は、第一吸い込み流路６８、内側突出部６２と外側突出部６１との間に形成される環状の流路、太円筒部４２と前方突出部４６との間に形成される環状の流路、吸引口４５、雄ねじ部材３０と細円筒部４１との間に形成される環状の流路、及び、内筒部１１と外筒部１２との間に形成される環状の流路を通じて、外側流路１０Ｂに流通可能に連通する。
【００７３】
〔第一補強リブ６９〕
図６Ａ及び図６Ｃに示すように、第一補強リブ６９は、第一ノズル本体６０ｂの後壁から上下方向に立設されるものであって、第一ノズル本体６０ｂの両側壁と第一流路形成部材６８ｃとの間において、左右方向に複数並んで立設される第一縦リブ６９ｖ、及び、それぞれの第一縦リブ６９ｖに対して上下方向に複数並んで配設される、下方に向けて開放される第一傘状部材６９ｕからなる。
【００７４】
このように、第一縦リブ６９ｖだけでなく、第一傘状部材６９ｕを設けることにより、横方向にもリブを配設することができるため、横方向の強度も確保することができる。
【００７５】
第一傘状部材６９ｕは下方に向けて開放される傘状の形状を呈するものであるから、第一ノズル本体６０ｂ内に入り込む浴槽水が滞留せず、重力方向に流れやすい構造となっている。そのため、浴槽水が第一ノズル本体６０ｂ内で長期間にわたって残留して腐食を誘発することを防止することができる。
【００７６】
それぞれの第一傘状部材６９ｕは、第一縦リブ６９ｖから相反する方向に向けて突出する二つの部材によって形成される。また、上方に位置する第一傘状部材６９ｕの方が、下方に位置する第一傘状部材６９ｕよりも大きく形成される。すなわち、第一傘状部材６９ｕは下方に行くにしたがって徐々に小さくなるよう形成される。
【００７７】
このように、上方に設けられた第一傘状部材６９ｕを下方に設けられた第一傘状部材６９ｕよりも大きく形成することで、第一ノズル本体６０ｂ内に入り込んだ浴槽水が第一ノズル本体６０ｂ内に滞留せず、第一ノズル本体６０ｂ外に排出されやすくなる。
【００７８】
また、第一流路形成部材６８ｃ上にも、第一吸い込み流路６８を補強する第一流路リブ６９ｃが設けられる。第一流路リブ６９ｃは、第一流路形成部材６８ｃの側端部に一体となって形成される部位と、第一流路形成部材６８ｃの略中央に鉛直方向に配設される部位とからなる。
【００７９】
このように、第一流路リブ６９ｃを設けることにより、第一吸い込み流路６８そのものや、第一吸い込み流路６８の近傍における強度を確実に保持することができ、強力な吸い込み圧力が印加されたとしても、変形や破損の生じないノズル本体を提供することができる。
【００８０】
〔第二ノズル部材７０〕
図７を用いて、第二ノズル部材７０について説明する。図７Ａは第二ノズル部材７０の分解斜視図を、図７Ｂは第二ノズル部材７０を分解して斜め後方から見た図を、図７Ｃは第二ノズル部材７０を構成する第二ノズル本体７０ｂの正面図を、図７Ｄは同底面図を示す。
【００８１】
第二ノズル部材７０は、前方に向けて緩やかな湾曲状に形成された第二カバー部材７０ｃと、前方が第二カバー部材７０ｃに覆われ上下両端が開放される第二ノズル本体７０ｂとによって、水平断面が扁平矩形状の略ボックス型の形状を呈するよう構成される。
【００８２】
第二カバー部材７０ｃと、第二ノズル本体７０ｂの後壁との間には、水平断面略楕円形状を呈する第二吸い込み流路７１が、第二流路形成部材７１ｃによって上下方向に画定されている。第二流路形成部材７１ｃの上端部は第二ノズル本体７０ｂの上端から突出しており、第一ノズル本体６０ｂの下方に開口する第一吸い込み流路６８の下端に挿入可能となっている。
【００８３】
このとき、第二流路形成部材７１ｃの上端の外径は、第一吸い込み流路６８の内径と略同一に設定されており、また、第二流路形成部材７１ｃの上端近傍外周部に樹脂製のシール部材が取り付けられているため、第二流路形成部材７１ｃの上端は、第一吸い込み流路６８の下端に嵌入する状態で接続される。
【００８４】
このようにすることで、第二流路形成部材７１ｃの上端部を第一吸い込み流路６８の下端に挿入することにより、第一ノズル部材６０と第二ノズル部材７０を接続することができる。
【００８５】
すなわち、第一ノズル部材６０と第二ノズル部材７０とを接続するにあたり、固定用の突起や孔をノズル部材表面に形成することが不要となるため、見栄えの良いノズル部材５０を形成することができる。
【００８６】
なお、第二吸い込み流路７１は、第一吸い込み流路６８と同様に、第二ノズル本体７０ｂ内部において水平断面略楕円形状を呈する第二流路形成部材７１ｃの内部に画定されており、第二流路形成部材７１ｃと第二ノズル本体７０ｂの両側壁との間には、強度を確保するための複数の第二補強リブ７２が設けられている。
【００８７】
つまり、第二吸い込み流路７１は、第二ノズル本体７０ｂ内部において水平断面略楕円形状を呈する第二流路形成部材７１ｃによって画定されており、第二ノズル本体７０ｂにおける後壁と両側壁とによって画定される領域は、第二流路形成部材７１ｃによって、内部の流路領域と外部の補強領域とに区画されている。
【００８８】
そして、第二流路形成部材７１ｃと第二ノズル本体７０ｂの両側壁との間の補強領域において、強度を確保するための複数の第二補強リブ７２が設けられている。
【００８９】
このように、第二ノズル本体７０ｂ内を流路領域と補強領域とに区画し、補強領域において二補強リブ７２で補強を行うため、流路内に圧力損失を誘因するリブを設置することなく、ノズル部材の補強を行うことができる。
【００９０】
また、第二ノズル本体７０ｂの下端部は、第一ノズル本体６０ｂの下端部と同様に構成されている。すなわち、第二ノズル本体７０ｂの下端には、下方に突出する水平断面略矩形枠状の部材である第二下端開口枠部７３が形成されている。第二下端開口枠部７３は、第二吸い込み流路７１の下端開口部より下方に形成される。
【００９１】
また、第二吸い込み流路７１内には、後述するフィルタケース１００と第二ノズル本体７０ｂとをねじを用いて接続する際に使用するねじ穴７１ｂが設けられる。
【００９２】
ノズル部材５０をこのように構成することで、第一ノズル部材６０のみを使用する形態と、第一ノズル部材６０に第二ノズル部材７０を接続して使用する形態の切り替えが容易となり、設置される浴槽の形状や構造に合わせて、使用形態を切り替えて設置することが容易となる。
【００９３】
〔第二補強リブ７２〕
図７Ａ及び図７Ｃに示すように、第二補強リブ７２は、第二ノズル本体７０ｂの後壁から上下方向に立設されるものであって、第二ノズル本体７０ｂの両側壁と第二流路形成部材７１ｃとの間において、左右方向に複数並んで立設される第二縦リブ７２ｖ、及び、それぞれの第二縦リブ７２ｖに対して上下方向に複数並んで配設される、下方に向けて開放される第二傘状部材７２ｕからなる。
【００９４】
このように、第二縦リブ７２ｖだけでなく、第二傘状部材７２ｕを設けることにより、横方向にもリブを配設することができるため、横方向の強度も確保することができる。
【００９５】
第二傘状部材７２ｕは、第二縦リブ７２ｖから相反する方向に向けて突出する二つの部材によって形成され、下方に向けて開放される傘状の形状を呈するものであるから、第二ノズル本体７０ｂ内に入り込む浴槽水が滞留せず、重力方向に流れやすい構造となっている。そのため、浴槽水が第二ノズル本体７０ｂ内で長期間にわたって残留して腐食を誘発することを防止することができる。
【００９６】
また、第二流路形成部材７１ｃ上にも、第二吸い込み流路７１を補強する第二流路リブ７２ｃが設けられる。第二流路リブ７２ｃは、第二流路形成部材７１ｃの側端部に一体となって形成される部位と、第二流路形成部材７１ｃ上に鉛直方向に配設される二本の部位とからなる。
【００９７】
このように、第二流路リブ７２ｃを設けることにより、第二吸い込み流路７１そのものや、第二吸い込み流路７１の近傍における強度を確実に保持することができ、強力な吸い込み圧力が印加されたとしても、変形や破損の生じないノズル本体を提供することができる。
【００９８】
〔フィルタ部材８０〕
図８を用いて、フィルタ部材８０について説明する。図８Ａはフィルタ部材８０の分解斜視図を、図８Ｂは斜め下方から見た図を、図８Ｃは背面図を、図８Ｄは平面図を、図８Ｅは第一フィルタケース１１０に第二フィルタケース１２０を組み込んでいる状況を斜め下方から見た図を、図８Ｆは第二フィルタケース１２０を斜め下方から見た図を示す。
【００９９】
フィルタ部材８０は、不純物をろ過する機能を備えるフィルタ本体９０と、フィルタ本体９０を内部に収容し保持する機能を備え、浴槽水の流入孔と流出孔とが穿設され、流出孔側がノズル部材５０に接続されるフィルタケース１００とによって構成される。
【０１００】
フィルタケース１００は、図８Ａに示すように、フィルタケース１００の底面を画定する第一フィルタケース１１０と、フィルタケース１００の天面を画定する第二フィルタケース１２０とからなる。第一フィルタケース１１０と第二フィルタケース１２０とは、適宜の方法により接続可能に構成されている。
【０１０１】
第一フィルタケース１１０によって画定されるフィルタケース１００の底面には、通常運転時においてフィルタ本体９０に浴槽水を流入させる複数の第一流入孔１０１が穿設される。
【０１０２】
第一流入孔１０１は、角が面取りされた略長方形状の孔であり、本実施形態においては、左右に並んだ五つの孔が前後二列にわたって配設されている。
【０１０３】
また、第一フィルタケース１１０の背面には、フィルタ本体９０の詰まりによって第一流入孔１０１から浴槽水を吸引できなくなった際に圧力逃がし孔として機能し、浴槽水を吸引する第二流入孔１０２が穿設される。
【０１０４】
第二流入孔１０２は、それぞれの開口面積が第一流入孔１０１の開口面積よりも小さな略矩形状の複数の孔として形成される。
【０１０５】
また、第二フィルタケース１２０によって画定されるフィルタケース１００の天面には、フィルタ本体９０でろ過された浴槽水がノズル部材５０に流出する流出孔１０３が穿設される。流出孔１０３はフィルタケース１００天面の略全面に穿設された多数の略矩形状の細孔群からなる。
【０１０６】
また、第二フィルタケース１２０の天面縁部には、上方に突出する枠状部１０４が形成されており、この枠状部１０４は、第一ノズル本体６０ｂの下端部に形成される第一下端開口枠部６３、及び、第二ノズル本体７０ｂの下端部に形成される第二下端開口枠部７３に対し、下方から嵌入することができるよう構成されている。
【０１０７】
さらに、図８Ａや図８Ｄに示すように、第二フィルタケース１２０には、ノズル部材５０と接続するためのねじを挿通可能なねじ孔部材１０５が天面から上方に突出して設けられる。ねじ孔部材１０５には、ねじを挿通可能な孔が穿設されている。
【０１０８】
〔フィルタケース１００とノズル部材５０との接続構造〕
【０１０９】
フィルタケース１００をノズル部材５０に装着するには、まず、第二フィルタケース１２０の枠状部１０４を、第一ノズル本体６０ｂの第一下端開口枠部６３ないしは第二ノズル本体７０ｂの第二下端開口枠部７３に嵌入させる。その状態で、ねじ孔部材１０５に形成される孔からねじを挿入し、第一ノズル本体６０ｂないしは第二ノズル本体７０ｂに形成されるねじ穴６８ｂ、７１ｂに螺合することにより、第二フィルタケース１２０をノズル部材５０に接続することができる。
【０１１０】
この状態で、第一フィルタケース１１０を第二フィルタケース１２０に接続することで、フィルタケース１００とノズル部材５０とを接続することができる。
【０１１１】
このように、ねじを用いてフィルタケースとノズル部材とを接続する構成としたため、係止用の爪や係止溝等をノズル部材表面に配設する必要がなくなり、美観に優れる浴槽用給湯アダプタを構成することができる。
【０１１２】
以上の構成の浴槽用給湯アダプタ１において、浴槽内の湯水を吸引する場合には、図示しない吸引ポンプを作動させる。これにより流路仕切部材４０の太円筒部４２に形成される吸引口４５が負圧となってノズル部材５０の内部も負圧となり、浴槽内の湯水がノズル部材５０の下端に接続されるフィルタ部材８０から吸引され、さらにその湯水がノズル部材５０の外側突出部６１を介して太円筒部４２の吸引口４５から吸引される。こうして太円筒部４２内に吸い込まれた湯水は、戻り管２５ｂ又は残り湯取出管２５ｃを通って給湯機等に供給される。
【０１１３】
このとき、第一ノズル本体６０ｂにおける第一流路形成部材６８ｃの周囲には、第一補強リブ６９が形成されており、第二ノズル本体７０ｂにおける第二流路形成部材７１ｃの周囲には、第二補強リブ７２が形成されているから、吸引ポンプによって強力な負圧が印加されたとしても、ノズル部材の変形や破損を抑制することができる。
【０１１４】
ここで、第一ノズル本体６０ｂ及び第二ノズル本体７０ｂは、それぞれ、第一流路形成部材６８ｃ及び第二流路形成部材７１ｃによって、流路領域と補強領域とに区画されており、第一補強リブ６９及び第二補強リブ７２は、それぞれの補強領域に立設されるため、流路内における圧力損失が増加することなく、ノズル部材の補強を行うことができる。
【０１１５】
また、補強リブが立設される第一ノズル本体６０ｂ及び第二ノズル本体７０ｂとは別体の第一カバー部材６０ｃ及び第二カバー部材７０ｃが補強リブを覆うことによって、補強リブ自体や補強リブを設けた際にできる筋が視認されることがないため、ノズル部材の美観を損ねることなく強度を保持することができる。
【０１１６】
なお本発明は、槽内突出部の前面の吸引口を有する浴槽用給湯アダプタであれば、どのようなアダプタにも適用することができ例えば、無極性のアダプタであっても、有極性のアダプタであっても適用できるとともに、逆止弁付きのアダプタであっても、弁無しタイプのアダプタであっても適用することができる。
【０１１７】
また本発明においては、底面が開口する下向きの略ボックス状ノズル部材を備えた浴槽用給湯アダプタ１について説明したが、この形状に限ったものではなく、例えば、横向きの円筒状ノズル部材を備えてものであっても、他の形状や形式を備えたものであっても構わない。
【０１１８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【０１１９】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【産業上の利用可能性】
【０１２０】
この発明の浴槽用給湯アダプタは、美観に優れているため、ホテルの客室内における浴槽等に適用することができる。
【符号の説明】
【０１２１】
１      浴槽用給湯アダプタ
１０    槽外取付部材
２０    管路部材
３０    雄ねじ部材
４０    流路仕切部材
５０    ノズル部材
６０    第一ノズル部材
６８    第一吸い込み流路
６８ｃ  第一流路形成部材
６９    第一補強リブ
６９ｖ  第一縦リブ
６９ｕ  第一傘状部材
７０    第二ノズル部材
７１    第二吸い込み流路
７１ｃ  第二流路形成部材
７２    第二補強リブ
７２ｖ  第二縦リブ
７２ｕ  第二傘状部材
８０    フィルタ部材
９０      フィルタ本体
１００    フィルタケース
【図１】
2020173043.tif 000003
【図２】
2020173043.tif 000004
【図３】
2020173043.tif 000005
【図４】
2020173043.tif 000006
【図５Ａ】
2020173043.tif 000007
【図５Ｂ】
2020173043.tif 000008
【図５Ｃ】
2020173043.tif 000009
【図６Ａ】
2020173043.tif 000010
【図６Ｂ】
2020173043.tif 000011
【図６Ｃ】
2020173043.tif 000012
【図６Ｄ】
2020173043.tif 000013
【図７Ａ】
2020173043.tif 000014
【図７Ｂ】
2020173043.tif 000015
【図７Ｃ】
2020173043.tif 000016
【図７Ｄ】
2020173043.tif 000017
【図８Ａ】
2020173043.tif 000018
【図８Ｂ】
2020173043.tif 000019
【図８Ｃ】
2020173043.tif 000020
【図８Ｄ】
2020173043.tif 000021
【図８Ｅ】
2020173043.tif 000022
【図８Ｆ】
2020173043.tif 000023